(57)【要約】      （修正有）【課題】樹木の種子を効率良く、しかも高い発芽率が得られる状態で播くことができる播種構造を提供する。【解決手段】播種構造では、同一方向に伸び逆方向に突出する突条２ａ、２ｂが交互に設けられた波形板２を、前記突条２ａ，２ｂの頂部を介して平板１ａ，１ｂに固着し、前記突条２ａ，２ｂと前記平板１ａ，１ｂとで形成された空間に種子３を配置した。前記波形板２は、向い合って配置された前記平板１ａ，１ｂの間に配置されていてもよい。前記平板１ａ，１ｂと前記波形板２は、生分解性を有することが好ましい。【選択図】図１
2011015652.tif 000002
【特許請求の範囲】
【請求項１】
同一方向に伸び逆方向に突出する突条が交互に設けられた波形板を、前記突条の頂部を介して平板に固着し、前記突条と前記平板とで形成された空間に種子を配置したことを特徴とする播種構造。
【請求項２】
前記波形板は、向い合って配置された前記平板の間に配置されている請求項１に記載の播種構造。
【請求項３】
前記平板と前記波形板が生分解性を有する請求項１又は２に記載の播種構造。
【発明の詳細な説明】
【技術分野】
【０００１】
本発明は、樹木を種から育成する発芽床に種を播くための播種構造に関する。
【背景技術】
【０００２】
植物を育成させる目的となる場所への播種を容易に行うための様々な手法は、以前から提案されている。そのような手法の一つとして、板材や棒材などの基材に種子を担持し、その基材を所望の土壌に種子とともに挿入する手法があり、それは、例えば、特開２００６−６１７０号公報、特開平９−２９８９１２号公報、特開平７−１４３８０３号公報、実開平４−１６５０７号公報に開示されている。
【先行技術文献】
【特許文献】
【０００３】
【特許文献１】特開２００６−６１７０号公報
【特許文献２】特開平９−２９８９１２号公報
【特許文献３】特開平７−１４３８０３号公報
【特許文献４】実開平４−１６５０７号公報
【発明の概要】
【発明が解決しようとする課題】
【０００４】
しかしながら、上記従来の手法で用いられる、基材に種子を担持させた構造では、基材における特定の部分に種子が担持されるため、粒径の小さい種子はその多数がまとめて一箇所に担持されることとなり、発芽に適切な種子同士の間隔を維持することができなかった。また、種子を担持させる方法によっては（例えば、袋体に収容する方法）、種子周辺の湿度が過多になるおそれがあった。そのため、発芽率の低い樹木の種子に適用すると、所望する数の発芽を期待できないという問題があった。なお、粒径の大きい種子であれば、一つの基材に一つの種子を好ましい方法で担持させることができるので、種子を担持した基材を所定の間隔で挿入すれば、所望する数の発芽を期待できる可能性がある。しかしながら、その場合、種子を一つ一つ播く作業と実質的に同じであり、基材に固定しても、播種作業の効率向上を図ることはできなかった。
【０００５】
そこで、本発明は、樹木の種子を効率良く、しかも高い発芽率が得られる状態で播くことができる播種構造を提供することを目的とする。
【課題を解決するための手段】
【０００６】
本発明に係る播種構造では、同一方向に伸び逆方向に突出する突条が交互に設けられた波形板を、前記突条の頂部を介して平板に固着し、前記突条と前記平板とで形成された空間に種子を配置した。
【０００７】
前記波形板は、向い合って配置された前記平板の間に配置されていてもよい。
【０００８】
前記平板と前記波形板は、生分解性を有することが好ましい。
【発明の効果】
【０００９】
本発明に係る播種構造では、種子の配置される、波形板の突条と平版とで形成された空間（以下、保持空間という）の複数が並んだ状態で形成されるため、種子を配置する空間を適宜選択することにより、例えば、一つ置き、或いは二つ置きとすることにより、種子同士に必要が間隔を設けることができる。そのため、発芽床に挿入（埋設）する前に、種子を必要な間隔を開けて配置し、平板、波形板及び種子を一体にして種子が水平に配列されるよう発芽床に挿入（埋設）することで、発芽に適切な種子同士の間隔を保持した状態で種子を播くことができる。しかも、保持空間は、筒状をなすため、外部との連通状態を維持しながら種子を保持することができ、発芽床に播かれた状態にある種子の周辺の湿度が過多になることもない。従って、樹木の種子を効率良く、しかも高い発芽率が得られる状態で播くことができる
【００１０】
なお、この播種構造では、発芽床との接触面積が広くなるため、土中深く埋設することは難しい。しかしながら、樹木種子の場合は土中に深く埋め込む必要は無く種子に土がかぶる程度で発芽する性質を備えており、この播種構造は、樹木種子が持つそれらの性質を利用したものである。
【００１１】
平板は、単体でもよく、向い合って配置された一組でもよいが、向い合って配置された一組とした場合、保持空間の数を倍に増やすことができ、また土中に埋設されない状態での強度を高めることができる。
【００１２】
平板及び波形板の材質は、保持空間に設置される種子の形状やサイズへの追従性を備え、平板が下向きに撓まない程度の支持強度を備えたものであればよく、金網、プラスチック、ゴム等を使用することができる。ただし、生分解性を供えるものであれば、時間の経過とともに分解するため、土壌の環境を破壊するおそれがなく好ましい。また、樹木の種子は播種から発芽までに長い時間を要するものもあり、そのような種子については発芽の妨げになることを防ぐことができる。平板や波形板が生分解性を有さないものであっても、筒状の保持空間は上記のように周辺土壌と連通しているため、種子から出た芽や根は周辺土壌に伸びることができるが、生分解性を有するものであれば、播種から発芽までに長い時間を要する種子が成長する確率をより高めることとなる。
【００１３】
生分解性を有する材質としては紙が好ましく、平板と波形板が一体となった段ボール紙が特に好ましい。段ボール紙であれば、包装用として様々な種類のものが広く流通しているため、取り扱う種子に対し保持空間の大きさが最適となるものを、容易にしかも安価で入手できる利点がある。
【００１４】
また、種子の良好な発芽を考慮した場合、種子が土に触れる表面積をできるだけ大きくすることが望ましいことから、種子に対する保持空間の幅は種子の固定に必要最小限なものとすることが好ましい。すなわち、突条の幅を種子の径よりもやや小さくし、保持空間に配置された種子の端部が保持空間からはみ出る程度とすることが好ましい。ただし、突条の幅が狭くなりすぎると保持機能が損われるため、種子が小さい場合は、種子の径に関わり無く必要な幅とすることが好ましい。一方、種子の径が小さく、そのままの状態では保持空間内に保持することができない場合は、平板及び波形板を、和紙等、水に濡らした後乾燥時に収縮する性質を持つ材料とすれば、その収縮した状態によって種子を保持することが可能となる。
【図面の簡単な説明】
【００１５】
【図１】本発明に係る播種構造の実施例を示す斜視図である。
【図２】本発明に係る播種構造の他の実施例を示す斜視図である。
【図３】本発明に係る播種構造の更に他の実施例を示す斜視図である。
【図４】図１に示す播種構造を植栽バックに適用した状態を示す斜視図である。
【発明を実施するための形態】
【００１６】
図１を参照しながら、本発明に係る播種構造の実施例を説明する。
この播種構造は、ライナとフルートで構成される段ボールを利用して構成したものである。ライナは本発明平板に相当するものであり、以下、平板１ａ、１ｂとする。フルートは、同一方向に伸び逆方向に突出する突条が交互に設けられたシート体で、本発明の波形板に相当するものであり、以下、波形板２とする。
【００１７】
波形板２は、向い合って配置された平板１ａ、１ｂの間に配置され、突条２ａの頂部が平板１ａ、１ｂに固着されている。そして、突条２ａと平板２ａ、及び突条２ｂと平板２ｂとが向い合って、筒状をなす保持空間４、５が形成されている。なお、図１において、説明の便宜上、上側に配置される平板及び上向きに突出する突条の付番にはａを、下側に配置される平板及び下向きに突出する突条の付番にはｂを付与したが、平板１ａと平板１ｂ、及び突条２ａと突条２ｂとは実質上同じものである。
【００１８】
突条２ａと平板２ａとで形成された保持空間４には、樹木の種子３が配置されている。ただし、突条２ｂと平板２ｂとで形成された保持空間５に種子３が配置されていないのは、種子３同士の間隔を発芽に適したものとするためであり、種子３を配置する保持空間は、発芽に必要とされる間隔に応じて適宜決めればよい。また、図１では、４つの保持空間４と４つの保持空間５の計８つが形成されているが、その数に制限はなく、種子の発芽率や種子同士が必要とする間隔に応じて適宜変更すればよい。例えば、発芽率が２５％で、保持空間２つ分の間隔が必要とされる場合であれば、保持空間を１０こ形成し、両端およびその両端から３番目の４つの保持空間に種子３を配置することで、種子の発芽及び成長が期待できる。
【００１９】
上側に配置された平板１ａには補強材１１が貼着けられており、たわみが防止されている。また、補強材１１の上面には把持片１２が突設されており、取り扱い性の向上が図られている。ただし、補強材１１や把持片１２は必要に応じて設ければよく、不要であれば省略することができる。
【００２０】
この播種構造によれば、保持空間４に種子３が配置された状態で、種子３が水平に配列されるよう発芽床に挿入（埋設）することで、発芽に適切な種子同士の間隔を保持した状態で、種子３を播くことができる。なお、発芽床に挿入する際、種子３は樹木であることから、土中に深く埋め込む必要は無く上側の平板１ａに土がかぶる程度でよい。
【００２１】
保持空間４は、外部との連通状態を維持しながら種子３を保持するため、発芽床に播かれた状態にある種子３の周辺の湿度が過多になることはない。そして、種子３は、やがて、その発芽率（例えば、２５％であれば４個に１個の割合）で発芽することになるが、種子３から出た芽や根は、保持空間４の開口を通って周辺土壌に伸び、生育する。
【００２２】
平板１ａ、１ｂ及び波形板２は、生分解性素材であるため、時間の経過とともに分解し、土壌の環境を破壊するおそれがない。また、種子３が播種から発芽までに長い時間を要するものである場合、種子３が発芽するころには平板１ａ、１ｂ及び波形板２は分解され、種子３の発芽の妨げになることがない。ただし、平板１ａ、１ｂ及び波形板２の材質は、生分解性を有するものに限定されず、種子３の形状やサイズへの追従性を備え、平板１ａ、１ｂが下向きに撓まない程度の支持強度を備えたものであればよく、金網、プラスチック、ゴム等を使用してもよい。
【００２３】
更に、平板１ａ、１ｂ及び波形板２として使用されている段ボール紙は、包装用として様々な種類のものが広く流通しているため、取り扱う種子に対し保持空間の大きさが最適となるものを、容易にしかも安価で入手できる利点がある。例えば、段ボール紙の厚さ（波形板２の突条２ａ、２ｂの高さ）には０．８ｍｍ（Ｇ段）〜５．０ｍｍ（Ａ段）までの規格があるため、これらの規格を適宜使い分けることで、ドングリ類やツバキの様な大型の種子から、小型の種子まで幅広く対応することができる。
【００２４】
一方、種子３の良好な発芽を考慮した場合、種子３が土に触れる表面積をできるだけ大きくすることが望ましいことから、突条２ａ、２ｂの幅を種子３の径よりもやや小さくし、保持空間４に配置された種子３の端部が保持空間３からはみ出る程度とすることが好ましい。一方、種子３の径が小さく、そのままの状態では保持空間４内に保持することができない場合は、平板１ａ、１ｂ及び波形板２を、和紙等、水に濡らした後乾燥時に収縮する性質を持つ材料とすることで、その収縮した状態によって種子３を保持することが可能となる。
【００２５】
この種播構造は、上記の通り、地中にあまり深く挿入されないため、設置された場所によっては、時間の経過とともに設置位置からずれたり、飛散したりする可能性がある。そこで、発芽床に対する固定機能を付加することが好ましい。図２に、固定機能を付加した播種構造を示す。図２に示す播種構造は、図１に示す播種構造に支持杭１３を設けたものである。なお、支持杭１３の材質は、発芽床に挿入できるものであれば制限はなく、平板１ａ、１ｂ、波形板２と同じ材質とすればよい。また、発芽床に対する固定方法に制限もなく、図２に示す支持杭１３に変えて、例えば、図１に示す播種構造を門型やＭ型のピンで上から固定してもよい。
【００２６】
更に、平板１ａ、１ｂは、十分な支持強度が得られる場合は、単体でもよい。図３は、平板を単体とした場合の播種構造の実施例であり、図１に示す播種構造から平板１ｂを取り除いたものである。
【００２７】
上記播種構造が利用できる発芽床としては、マルチング材で形成した袋体に培土を充填したもの（以下、植裁バッグという）が特に好ましい。図１に示す播種構造を植裁バッグに挿入した状態を図４に示す。図４に示す植栽バッグ２０は、上記のように、マルチング材で形成した袋体に培土を充填したもので、上面には、植物の苗や種子を挿入するための挿入口２１が形成されている。挿入口２１は、その開口から育成目的外植物（いわゆる雑草）の種子が入り込まないよう、切込み（スリット）を入れたのみの構造とすることが好ましい。従って、種子３が線的に一列に配置される上記播種構造は、植栽バックに好適である。
【符号の説明】
【００２８】
１ａ、１ｂ  平板
２  波形板
２ａ、２ｂ  突条
３  種子
４、５  保持空間
１１  補強材
１２  把持片
１３  支持杭
２０  植栽パック
２１  挿入口
【図１】
2011015652.tif 000003
【図２】
2011015652.tif 000004
【図３】
2011015652.tif 000005
【図４】
2011015652.tif 000006